(57)【要約】【課題】装置起動時にバッテリー充電状態に応じた最適な装置起動をすること、その要否に応じたバッテリー充電を促す警告を行う。【解決手段】パワーオン後に、撮影モードか再生モードか判断（Ｓ１１）。撮影モードの場合（Ｙｅｓ）、バッテリー電圧が「ＣＡＰ＿ＥＮＡＢＬＥ＿Ｖ」以下か判断（Ｓ１２）、以下の場合（Ｙｅｓ）、電池切れ表示を表示部に所定時間表示し（Ｓ１３）電源を切る。処理Ｓ１２で「ＣＡＰ＿ＥＮＡＢＬＥ＿Ｖ」以上の場合（Ｎｏ）、鏡胴ユニットを繰り出し（Ｓ１４）、モニタリングモードになる（Ｓ１５）。処理Ｓ１１で再生モードの場合（Ｎｏ）、バッテリー電圧が「ＰＬＡＹ＿ＥＮＡＢＬＥ＿Ｖ」以下か判断（Ｓ１６）、以下の場合（Ｙｅｓ）、電池切れ表示を表示部に所定時間表示し（Ｓ１３）電源を切る。処理Ｓ１６で「ＰＬＡＹ＿ＥＮＡＢＬＥ＿Ｖ」以上の場合（Ｎｏ）、鏡胴ユニットを繰り出ことなく再生モードになる（Ｓ１７）。【選択図】図６
2010193345.tif 000002
【特許請求の範囲】
【請求項１】
電源用のバッテリーと、装置起動時に前記バッテリーの出力電圧が起動許可電圧より低いか否かを判断する電圧判断手段と、前記電圧判断手段により前記バッテリーの出力電圧が前記起動許可電圧より低いと判断した場合に警告を行う警告手段と、を備え、
前記電圧判断手段が判断に用いる前記起動許可電圧を装置起動時の状態によって変更することを特徴とする情報記録再生装置。
【請求項２】
前記電圧判断手段は、装置起動時の状態が再生モードまたは撮影モードのいずれかによって、判断に用いる前記起動許可電圧を変更することを特徴とする請求項１記載の情報記録再生装置。
【請求項３】
前記電圧判断手段は、装置起動時の状態が購入後の初回の起動か否かによって、判断に用いる前記起動許可電圧を変更することを特徴とする請求項１記載の情報記録再生装置。
【請求項４】
前記電圧判断手段は、前記購入後の初回の起動時には、第１の起動許可電圧を用いて判断し、日付設定を行った後には、前記第１の起動許可電圧より大きい第２の起動許可電圧を用いて判断を行うことを特徴とする請求項３記載の情報記録再生装置。
【請求項５】
前記電圧判断手段は、着脱自在な前記バッテリーが取り外した状態から取り付けた状態となった後の初めての起動か否かによって、判断に用いる前記起動許可電圧を変更することを特徴とする請求項１記載の情報記録再生装置。
【請求項６】
装置の処理情報が格納される着脱自在の記録媒体をさらに備え、
前記電圧判断手段は、装置起動時において前記記録媒体に格納されている情報量が所定量か否かによって、判断に用いる前記起動許可電圧を変更することを特徴とする請求項１記載の情報記録再生装置。
【請求項７】
前記警告手段は、前記バッテリーの充電を促す表示によって警告を行うことを特徴とする請求項１〜６のいずれか１項に記載の情報記録再生装置。
【請求項８】
前記警告手段は、発光手段や発音手段による点滅や警告音によって警告を行うことを特徴とする請求項１〜７のいずれか１項に記載の情報記録再生装置。
【請求項９】
前記電圧判断手段の判断により警告手段が警告を行った後、所定時間が経過した後に装置電源をオフすることを特徴とする請求項１〜８のいずれか１項に記載の情報記録再生装置。
【請求項１０】
前記電圧判断手段の判断により警告手段が警告を行った後、前記警告の確認操作の後に、または所定時間が経過した後に装置電源をオフすることを特徴とする請求項１〜８のいずれか１項に記載の情報記録再生装置。
【請求項１１】
請求項１〜１０のいずれか１項に記載の情報記録再生装置を備えたことを特徴とするデジタルカメラ。
【発明の詳細な説明】
【技術分野】
【０００１】
本発明は、デジタルカメラ等の撮像装置に代表される電子機器にあって、この装置駆動に用いられるバッテリーに係る制御を行う情報記録再生装置およびデジタルカメラに関するものである。
【背景技術】
【０００２】
近年、デジタルカメラは私的ばかりでなく公的な目的での利用も広まっている。デジタルカメラは、撮影時にレンズユニットを複数持つ鏡胴ユニットを繰り出し、撮影を行って、撮影した画像を記録する記録媒体である、例えばＳＤメモリーカード（以下、ＳＤカードという）等にその画像を蓄積する。さらに、その特徴として、デジタルカメラには表示手段（ＬＣＤ（液晶モニタ）等）を持ち、撮影した画像をＬＣＤにおいて再生することで、すぐに撮影した画像状態等を確認することが可能である。
【０００３】
また、再生時や電源をオフした状態においては、鏡胴ユニットをデジタルカメラ本体に収納することで、デジタルカメラの形状をコンパクトに抑えて持ち運びの利便性を図っている。さらに、デジタルカメラを駆動する電源には、主にバッテリーが用いられている。充電可能なバッテリーだけではなく、単３型などの乾電池の両方を利用できるデジタルカメラも知られている。
【０００４】
デジタルカメラでは、電源をオンした後、撮影等に使用中において、バッテリーの蓄電量が少なくなると、ＬＣＤに警告表示を行うものがある。例えば、特許文献１に開示されているように、画像の記録・再生モード時と、ボイスレコーダモードやオーディオモード時とでは消費電力が異なるため、画像の記録・再生モード時と、ボイスレコーダモードやオーディオモード時とにおいて、バッテリーチェックに用いる閾値を変更している。これにより、デジタルカメラをボイスレコーダやオーディオプレーヤーとして動作させる場合、その動作時間の延長を図るようにしている。
【０００５】
また、デジタルカメラを購入したユーザーが、初めてそのデジタルカメラを使う際に、バッテリーをデジタルカメラに装着させて電源をオンする場合、または、デジタルカメラから取り外していたバッテリーを取り付けて電源をオンする場合などに、装着するバッテリーが十分に充電されていない状態であると、デジタルカメラが動作せずに電源がオフされてしまう場合がある。
【０００６】
このような場合に、ユーザーは、なぜデジタルカメラが起動しないのか理解できず、バッテリーを充電することで容易に回避することができるにも関わらず、デジタルカメラの故障であると判断して、デジタルカメラのサポートサービスに問い合わせをしたり、購入直後であれば返品してしまったりする場合がある。
【発明の概要】
【発明が解決しようとする課題】
【０００７】
そして、前述の特許文献１には、電源をオンした後、デジタルカメラの動作モードにより閾値を変更する制御について開示されている。しかしながら、電源をオンしたときのバッテリーチェックについては開示されていない。
【０００８】
本発明は、前記従来技術の問題を解決することを主な目的とし、装置の起動時にバッテリーチェックを行って、バッテリーの充電不足の場合には、バッテリーの充電を促す警告をする等の制御を行うようにし、ユーザーに安心して利用可能な情報記録再生装置およびデジタルカメラを提供することを目的とする。
【課題を解決するための手段】
【０００９】
前記の目的を達成するために、本発明に係る請求項１に記載される情報記録再生装置は、電源用のバッテリーと、装置起動時にバッテリーの出力電圧が起動許可電圧より低いか否かを判断する電圧判断手段と、電圧判断手段によりバッテリーの出力電圧が起動許可電圧より低いと判断した場合に警告を行う警告手段と、を備え、電圧判断手段が判断に用いる起動許可電圧を装置起動時の状態によって変更することを特徴とする。
【００１０】
また、請求項２に記載される発明は、請求項１の情報記録再生装置において、電圧判断手段は、装置起動時の状態が再生モードまたは撮影モードのいずれかによって、判断に用いる起動許可電圧を変更することを特徴とする。
【００１１】
また、請求項３に記載される発明は、請求項１の情報記録再生装置において、電圧判断手段は、装置起動時の状態が購入後の初回の起動か否かによって、判断に用いる起動許可電圧を変更することを特徴とする。
【００１２】
また、請求項４に記載される発明は、請求項３の情報記録再生装置において、電圧判断手段は、購入後の初回の起動時には、第１の起動許可電圧を用いて判断し、日付設定を行った後には、第１の起動許可電圧より大きい第２の起動許可電圧を用いて判断を行うことを特徴とする。
【００１３】
また、請求項５に記載される発明は、請求項１の情報記録再生装置において、電圧判断手段は、着脱自在なバッテリーが取り外し状態から取り付け状態となった後の初めての起動か否かによって、判断に用いる起動許可電圧を変更することを特徴とする。
【００１４】
また、請求項６に記載される発明は、請求項１の情報記録再生装置において、装置の処理情報が格納される着脱自在の記録媒体をさらに備え、電圧判断手段は、装置起動時において記録媒体に格納されている情報量が所定量か否かによって、判断に用いる起動許可電圧を変更することを特徴とする。
【００１５】
また、請求項７、８に記載される発明は、請求項１〜６の情報記録再生装置において、警告手段は、バッテリーの充電を促す表示によって警告を行うこと、または、発光手段や発音手段による点滅や警告音によって警告を行うことを特徴とする。
【００１６】
また、請求項９、１０に記載される発明は、請求項１〜８の情報記録再生装置において、電圧判断手段の判断により警告手段が警告を行った後、所定時間が経過した後に装置電源をオフすること、または、電圧判断手段の判断により警告手段が警告を行った後、警告の確認操作の後に、または所定時間が経過した後に装置電源をオフすることを特徴とする。
【００１７】
また、請求項１１に記載のデジタルカメラは、請求項１〜１０のいずれか１項に記載の情報記録再生装置を備えたことを特徴とする。
【００１８】
前記構成によれば、起動時のバッテリーの充電状態に応じた最適な装置起動、またはバッテリー充電を促す警告を行うことができる。
【発明の効果】
【００１９】
本発明によれば、装置購入時に同梱されたバッテリーの充電状態に関わらず、また装置操作に不慣れなユーザーに対しても安心して利用できるように、バッテリー電圧を起動時に確認して最適な装置起動をすることができ、さらに、その要否に応じたバッテリー充電を促す警告ができるという効果を奏する。
【図面の簡単な説明】
【００２０】
【図１】本発明の実施形態における情報記録再生装置（デジタルカメラ）を示すブロック図
【図２】本実施形態のデジタルカメラの（ａ）は鏡胴ユニットの収納状態の上部外観図、（ｂ）は鏡胴ユニットの繰出状態の上部外観図、（ｃ）は被写体側の前方外観図、（ｄ）は撮影ユーザー側の後方外観図
【図３】本実施形態のアイコン表示例で、（ａ）は表示部のバッテリー残量アイコン、（ｂ）は残量フル、（ｃ）は残量ハーフ、（ｄ）は残量ニアエンド、（ｅ）は残量なしのアイコンを示す図
【図４】本実施形態のバッテリーの使用時間に応じた電圧降下を示す電圧図
【図５】本実施形態の自動パワーオフの動作を示す（ａ）はモニタリングモード、（ｂ）は再生モードのフローチャート
【図６】本実施形態のカメラ起動時で選択モード毎のフローチャート
【図７】本実施形態のカメラの撮影モードで起動時のフローチャート
【図８】本実施形態のカメラ購入後の初回の撮影モード起動時で初期設定を含む動作を示すフローチャート
【図９】本実施形態の撮影モードでのコールドブートまたはホットブートの動作を示すフローチャート
【発明を実施するための形態】
【００２１】
以下、図面を参照して本発明における実施の形態を詳細に説明する。
【００２２】
図１は本発明の実施形態における情報記録再生装置であるデジタルカメラを示すブロック図である。また、図２（ａ）はデジタルカメラの上部外観図で、鏡胴ユニットの収納時の状態、（ｂ）は鏡胴ユニットの繰り出し時の状態、（ｃ）は被写体側から見た前方外観図、（ｄ）は撮影するユーザー側から見た後方外観図である。
【００２３】
図１に示すデジタルカメラ（以下、カメラという）１は、撮像レンズ部２にズームレンズ３、フォーカスレンズ４、メカ機構５（すなわち、メカニカルシャッター，絞り，フィルター等から構成）を有する。さらに、ズーム機能を実現するためのズーム制御部３ａ、被写体に合焦するための機能を持つフォーカス制御部４ａ、メカ機構５は被写体の明るさを制御する絞り制御やシャッター制御を行う絞り・シャッター制御部５ａを有し、起動時にこれらの鏡胴ユニット６を繰り出しあるいは、収納するための鏡胴ユニット収納／繰出制御部６ａから構成される。
【００２４】
図２（ａ），（ｂ）には鏡胴ユニットを収納したときの状態と繰り出したときの状態を示し、カメラ１の上部には、レリーズボタン（シャッター）１１、モードダイヤル１２、電源スイッチ１３が搭載されている。モードダイヤル１２は撮影を行うための撮影モード、あるいは撮影した写真を表示するための再生モード、あるいは各種設定をするためのセットアップモード、あるいは人物や夜景等を撮影するための各ポートレートモードなど、複数の機能がユーザーに提供され、ユーザーはそれぞれのモードをモードダイヤル１２で切り替え所望のモード選択を行う。例えば、撮影するため撮影モードに設定されている場合には、鏡胴ユニット６を繰り出しモニタリングモードになる。
【００２５】
モニタリングモード時、すなわちユーザーが被写体を表示部（ＬＣＤ）１５でリアルタイムに見ている状態においては、レリーズボタン１１は解放されている状態であり、レンズを通して、受光した像は、受光素子７であるＣＣＤ部あるいはＣＭＯＳ部より電気信号に変換され  画像処理部２１へ転送され、その画像は表示部（ＬＣＤ）１５にてリアルタイムで表示されている。通常は１秒間に３０フレームで画素数は６４０×４８０といった小さい画像が転送され、表示部１５に表示される。これにより、ユーザーはリアルタイムで被写体を確認してレリーズボタン１１を押す機会を待つ。
【００２６】
図２（ｃ）にはＳＤカード１６およびバッテリー１７を示している。ユーザーはカメラ１の購入時に、まずカメラ１の蓋部１４を開けて、ＳＤカード１６の装着およびバッテリー１７の装着をする。図１のブロック図で説明すれば、メモリカード部２２（ＳＤカード１６）は、システム制御部２３を含む各種の回路ブロックとシステムバスで繋がっており、撮影した写真すなわち画像情報（例えば、ＪＰＥＧファイル等）をＳＤカード１６に格納する。バッテリー１７は電源回路部１８を経由して、各種ブロックに電源を供給している。また電源回路部１８よりＡ／Ｄ変換された電圧のデータは、システム制御部２３へ接続されており、システム制御部２３は電源のオン／オフだけでなくバッテリー１７の電圧を監視する。
【００２７】
なお、電源回路部１８は、システム制御部２３とは別に制御される、すなわち別ＣＰＵで電源を制御する制御部を有している。バッテリー１７の装着時は、カメラ１の電源オフの状態である場合でも、省電力モードで動作している。電源回路部１８が、電源スイッチ１３の電源オンを検出して、システム制御部２３に電源の供給を開始することにより、システム制御部２３は起動される。
【００２８】
また、電源回路部１８には、簡易なメモリを有しており、システム制御部２３とシリアル通信を行って、バッテリー１７の着脱の有無、装着されてから何回目の起動かといった情報の授受も行っている。このため、電源回路部１８においては、バッテリー１７が装着された最初の起動で、アプリケーションプログラムの実行前に、メモリ等のハードウェアの初期化処理を行うコールドブートか、この初期化処理を行う必要のないホットブートかを判別することができる。
【００２９】
図２（ｄ）は  ユーザー側から見たカメラ１の外観図であるが、各種ボタンが搭載されている。各種ボタンおよびモードダイヤル１２、レリーズボタン１１は図１のブロック図で操作部１０に相当する。ユーザーはモニタリング状態より、図２（ｄ）のズームボタン１９を操作することで、図１のズーム制御部３ａよりズームレンズ３が動作する、これにより望遠の被写体を撮影する場合はＴＥＬＥボタン１９ｂを押し、近い被写体を撮影する場合はＷＩＤＥボタン１９ａを押す。
【００３０】
撮影時に用いるレリーズボタン１１は通常２段階のボタンになっている。１段目は、フォーカスすなわちピントを合わせるためのボタンである。このとき図１のフォーカス制御部４ａが動作し、フォーカスレンズ４を動かすことで、被写体に最適なピントを合わせる。また絞りは、通常明るい被写体の場合には絞り制御が行われ、暗い被写体の場合は開放される。２段目のボタンを押すことで、撮影が行われる。
【００３１】
シャッター速度が１秒の場合は１秒露光し、シャッターを閉じる。画像処理部２１は、受光素子７（ＣＣＤ／ＣＭＯＳ）から受信した  デジタルデータ（画像情報）に対して各種画像処理を施すものである。このときに受信するデータは、撮像素子の全画素を使うのが通常であり、近年では１０万画素といった高い画素の素子が使われていることも珍しくない。画像処理部２１は、受信した生のデータにホワイトバランスなどの色処理を加え、ＪＰＥＧ方式に準拠した圧縮方式により処理を行う圧縮機能を持つ。
【００３２】
圧縮されたデータは、第１メモリ部２４（揮発性）に展開保管され、デジタルカメラのファイルフォーマットＥｘｉｆ準拠となるよう、撮影時の条件やカメラ１の機種名等をＪＰＥＧデータのヘッダーとして付加し、撮影したＪＰＥＧファイルとしてメモリカード部２２に格納する。これにより撮影処理が完了する。
【００３３】
ＵＳＢ通信部２６は、図示しないパーソナルコンピュータやプリンタなどの外部機器とのＪＰＥＧファイルの授受に使用される。モードダイヤル１２を再生に切り替えた場合においては、メモリカード部２２よりＪＰＥＧファイルを取り出し、第１メモリ部２４に展開する。画像処理部２１において伸長処理を実施し伸長されたデータは、表示部１５にて表示されユーザーは撮影した画像を確認することが可能である。
【００３４】
時計部２７は日付入れ写真など現在の日時を管理するクロックを持ち、バッテリー１７が装着されていない場合においても内部の補助電池により動作し日時を管理する。またユーザーは、それぞれの好みに応じた設定を、図２（ｄ）に記載の上下左右の十字ボタン２０やＯＫボタン２０ａで実施することが可能である。具体的には、撮影サイズを「１０Ｍ」にするか「５Ｍ」にするか、あるいは言語の設定は「日本語」か「英語」か、測光方式は「中央方式」か「マルチ方式」かなどの設定を変更可能である。これらの設定は電源オフしても保持しており保持データは、第２メモリ部２５（不揮発性）に保存する。これにより電源を供給されない状態、すなわちバッテリーが装着されていない、あるいは電源オフされた状態においても設定情報を保持している。
【００３５】
図３（ａ）は表示部に表示されるバッテリー残量アイコン、（ｂ）は残量フル、（ｃ）は残量ハーフ、（ｄ）は残量ニアエンド、（ｅ）は残量なしのアイコン表示例を示す図である。この表示により、ユーザーはカメラ１の使用時にバッテリー１７の残量がどの程度あるのかを知ることが可能となる。
【００３６】
図１のシステム制御部２３に格納されているプログラムの電源管理機能は、定期的に電源回路部１８のＡ／Ｄポートから電圧値を取得している。これにより、バッテリー１７の電圧値をチェックし図３（ｂ）〜（ｄ）のいずれかのアイコンを表示部１５に表示する。
【００３７】
カメラ１のモニタリング時においては、鏡胴ユニット６に電源を提供するため、電圧降下が発生し、またストロボ充電中はさらに電圧降下が発生するため、カメラの動作モードによって、残量フル，残量ハーフ，残量ニアエンドいずれかの電池残量を表示し、このための閾値を電圧テーブルに保管する。（表１）は、カメラ１の動作モードによって、電圧値を変更するバッテリー電圧テーブルである。
【００３８】
【表１】
2010193345.tif 000003
【００３９】
図４はバッテリーの使用時間に応じた電圧降下を示す電圧図である。図４において、バッテリーはフル充電中の電圧（Ｖ）から図中の右方向の使用時間（Ｔｉｍｅ）の経過に応じて電圧が下がる。撮影モードのモニタリング時においては、「ＦＵＬＬ＿Ｖ」より「ＭＯＮＩ＿ＨＡＬＦ＿Ｖ」までの電圧であるなら残量フルのアイコン（図３（ｂ））を表示する。
【００４０】
また、「ＭＯＮＩ＿ＨＡＬＦ＿Ｖ」から「ＭＯＮＩ＿ＮＥＲＡ−ＥＮＤ＿Ｖ」までの電圧の場合においては、残量ハーフのアイコン（図３（ｃ））を表示し、「ＭＯＮＩ＿ＮＥＲＡ−ＥＮＤ＿Ｖ」から「ＭＯＮＩ＿ＰＯＷＥＲ＿ＯＦＦ＿Ｖ」までの電圧であれば残量ニアエンドのアイコン（図３（ｄ））を表示する。
【００４１】
このようにバッテリー１７の残量を表示部１５に表示し状態を示して、「ＭＯＮＩ＿ＰＯＷＥＲ＿ＯＦＦ＿Ｖ」以下となると残量なしのアイコン（図３（ｅ））を表示して、ユーザーにバッテリー１７の充電を促す。
【００４２】
同様に再生モードにおいては、「ＰＬＡＹ＿ＨＡＬＦ＿Ｖ」から「ＰＬＡＹ＿ＮＥＲＡ−ＥＮＤ＿Ｖ」までの電圧の場合においては、残量ハーフのアイコンを表示し、「ＰＬＡＹ＿ＮＥＲＡ−ＥＮＤ＿Ｖ」から「ＰＬＡＹ＿ＰＯＷＥＲ＿ＯＦＦ＿Ｖ」までの電圧であれば残量ニアエンドのアイコンを表示する。
【００４３】
図５は自動パワーオフの動作を示す（ａ）はモニタリングモード、（ｂ）は再生モードのフローチャートである。図５（ａ）に基づき自動パワーオフの動作について説明する。カメラ１がパワーオンされ、モニタリング中（Ｓ１）であった場合には、（表１）に示す閾値の「ＭＯＮＩ＿ＰＯＷＥＲ−ＯＦＦ＿Ｖ」以下に電圧が下回ったか否かを定期的に確認し（Ｓ２）、下回った場合（Ｓ２のＹｅｓ）に、自動パワーオフの動作を開始する。
【００４４】
自動パワーオフの動作としては、まず、鏡胴ユニット６を収納する（Ｓ３）。これは、鏡胴ユニット６が出たままで電源をオフしてしまうと、カメラ１がコンパクトな状態にならないばかりか、鏡胴ユニット６をぶつけて壊してしまう危険も増すことになる。このため、「ＭＯＮＩ＿ＰＯＷＥＲ−ＯＦＦ＿Ｖ」の電圧値としては、鏡胴ユニット６を収納するだけの電圧が残っていることが必要条件である。
【００４５】
図５（ａ）の処理Ｓ３において、鏡胴ユニット６を確実に収納し、処理Ｓ４で表示部１５に電池切れを示す残量なしのアイコン（図３（ｅ））の表示を行って、パワーオフを実施するが、これらの鏡胴ユニット６を収納する動作と残量なしのアイコンを表示する動作は並行処理であっても良い。  
【００４６】
また、図５（ｂ）に示す再生モードにおいては、「ＰＬＡＹ＿ＰＯＷＥＲ−ＯＦＦ＿Ｖ」の電圧値により確認し、鏡胴ユニット６は収納状態であるため収納する動作（Ｓ３）を行うことなく、処理Ｓ４’の電池切れ表示を表示する動作を行って、パワーオフの動作を開始する。
【００４７】
電池切れ表示（残量なしのアイコン）は所定時間の表示をして、ユーザーに電池切れの通知を行う。これは、カメラ１に備わっている、例えば３分間ユーザーが操作を行わない場合に、カメラ１の電源を自動でオフする機能においても、前述した動作と同じようにパワーオフするため、それと区別するために電池切れ表示を表示させる。また、電池切れ表示をユーザーに認識してもらうため、残量なしのアイコンを点滅させるようにしても良い。
【００４８】
この自動パワーオフを開始する閾値電圧も、カメラ１の動作状態によって（表１）に示すような電圧テーブルを持つ。具体的には、モニタリング時は、「ＭＯＮＩ＿ＰＯＷＥＲ−ＯＦＦ＿Ｖ」以下であれば自動パワーオフを行い、再生時においては、「ＰＬＡＹ＿ＰＯＷＥＲ−ＯＦＦ＿Ｖ」以下になれば自動パワーオフを行う。
【００４９】
また、（表２）はカメラ１の起動時に参照され、正常に起動することが可能な電圧値を示す起動許可電圧の電圧テーブルであり、図６はカメラの起動時で選択モード毎の動作を示すフローチャートである。
【００５０】
【表２】
2010193345.tif 000004
【００５１】
図６に示すように、カメラ１をパワーオンした後に、撮影モードで起動されたか、再生モードで起動されたか否かを判断する（Ｓ１１）。これにより、鏡胴ユニット６を繰り出す必要があるか否かを判断している。各モードは前述したモードダイヤル１２が撮影モードになっているか、再生モードになっているかで判断することが可能である。
【００５２】
撮影モードで起動されている場合（Ｓ１１のＹｅｓ）は、さらに、バッテリー１７電圧が（表２）に示す「ＣＡＰ＿ＥＮＡＢＬＥ＿Ｖ」以下の電圧か否かを判断し（Ｓ１２）、「ＣＡＰ＿ＥＮＡＢＬＥ＿Ｖ」以下の電圧を検出した場合（Ｓ１２のＹｅｓ）に、電池切れ表示（図３（ｅ））を表示部１５に所定時間の表示をして（Ｓ１３）電源を切る。
【００５３】
処理Ｓ１２において、「ＣＡＰ＿ＥＮＡＢＬＥ＿Ｖ」以上の電圧を検出した場合（Ｓ１２のＮｏ）に、通常どおり鏡胴ユニット６を繰り出し（Ｓ１４）、モニタリングモードになる（Ｓ１５）。
【００５４】
また、処理Ｓ１１で、再生モードで起動されている場合に（Ｓ１１のＮｏ）は、バッテリー１７の電圧が「ＰＬＡＹ＿ＥＮＡＢＬＥ＿Ｖ」以下の電圧か否かを判断し（Ｓ１６）、「ＰＬＡＹ＿ＥＮＡＢＬＥ＿Ｖ」以下の電圧を検出した場合（Ｓ１６のＹｅｓ）に、電池切れ表示を表示部１５に所定時間の表示をして（Ｓ１３）電源を切る。
【００５５】
また、処理Ｓ１６において、「ＰＬＡＹ＿ＥＮＡＢＬＥ＿Ｖ」以上の電圧を検出した場合（Ｓ１６のＮｏ）に、鏡胴ユニット６を繰り出す動作を行うことなく再生モードになる（Ｓ１７）。
【００５６】
次に、図７はカメラの撮影モードで起動時の動作を示すフローチャートである。購入後に初めてカメラ１を起動する場合には、起動許可電圧「ＣＡＰ＿ＥＮＡＢＬＥ＿１＿Ｖ」を参照する。
【００５７】
まず、カメラ１をパワーオンしたときに、購入後の初回の起動か否かの判断をする（Ｓ２１）。この判断は、前述した図１の第２メモリ部２５（不揮発性）を見て判断可能である。具体的には、工場出荷時に第２メモリ部２５の所定アドレスに「０ｘｆｆｆｆ」を書き込む。カメラ１の起動時において、第２メモリ部２５の所定アドレスを見て「０ｘｆｆｆｆ」であれば、購入後の最初の起動と判断する。
【００５８】
その後、第２メモリ部２５の所定アドレスに「０ｘ０００１」を書き込む。２回目の起動時には、所定アドレスの「０ｘ０００１」を見れば、２回目の起動であると判断できる。この所定アドレスに書き込む「０ｘ０００１」は同じものを起動の度に繰り返し書き込んでも良い。
【００５９】
同様に撮影枚数においても、工場出荷時において、第２メモリ部２５の所定アドレスに「０ｘ００００」を書き込む。第２メモリ部２５の所定アドレスが「０ｘ００００」であるならば、撮影枚数「０」であると判断する。その後、撮影を行う毎に所定アドレスに「１」を加え、書き込んでいけば、撮影枚数を判断することができる。
【００６０】
処理Ｓ２１において、購入後の初回の起動時のとき（Ｓ２１のＹｅｓ）に、バッテリー１７の電圧が「ＣＡＰ＿ＥＮＡＢＬＥ＿１＿Ｖ」以下の電圧であるか否かを判断し（Ｓ２２）、以下であれば（Ｓ２２のＹｅｓ）、バッテリー１７の充電を促す警告画面の所定時間の表示をして（Ｓ２３）、パワーオフする。
【００６１】
また、処理Ｓ２１において、購入後の初回の起動ではないとき（Ｓ２１のＮｏ）に、このカメラ１によって撮影した撮影枚数が０枚か否かの確認を行う（Ｓ２４）。撮影枚数が０枚（Ｓ２４のＹｅｓ）、すなわち１枚も撮影していない場合には、バッテリー１７の電圧が「ＣＡＰ＿ＥＮＡＢＬＥ＿２＿Ｖ」以下の電圧であるか否かを判断し（Ｓ２５）、以下であれば（Ｓ２５のＹｅｓ）、バッテリー１７の充電を促す警告画面の所定時間の表示をして（Ｓ２３）、パワーオフする。
【００６２】
また、処理Ｓ２４においては、撮影枚数が０枚でなくとも所定の枚数ｎ以下（例えば、１０枚以下）であれば、処理Ｓ２５における、バッテリー１７の電圧を「ＣＡＰ＿ＥＮＡＢＬＥ＿２＿Ｖ」で判断しても良い。これは、カメラ１の操作になれていないユーザーの使い始めとみなされる場合、あるいはカメラ１に装着したＳＤカード１６に格納可能な枚数分の撮影が継続できないと考えられるためである。
【００６３】
そして、処理Ｓ２４の撮影枚数が０枚でない場合（Ｎｏ）に、前述した図６の処理Ｓ１２以降の処理を実施し、モニタリングモードになる。また、前述の処理Ｓ２２、処理Ｓ２５において、バッテリー１７の電圧が参照の電圧値以上の場合（Ｎｏ）は、図６の処理Ｓ１４の鏡胴ユニット６の繰り出し、処理Ｓ１５のモニタリングモードへ移る。
【００６４】
また、再生モードでの起動においても、参照する電圧値として「ＰＬＡＹ＿ＥＮＡＢＬＥ＿１＿Ｖ」、「ＰＬＡＹ＿ＥＮＡＢＬＥ＿２＿Ｖ」により同様に処理を実行している。
【００６５】
また、図８はカメラ購入後の初回の撮影モードでの起動時における初期設定を含む動作を示すフローチャートである。購入後に初めてカメラ１を起動すると、通常は装置を初期設定する動作が行われ、例えば日付の入力を促す日付設定の画面が表示される。これにより、図１に示した日時を管理する時計部２７に現在の日時登録が行われ、これに基づき、撮影画像情報に日付等を付与することができる。このため、購入後の初回の起動時に、初期設定の動作が可能な電圧値として、起動許可電圧「ＣＡＰ＿ＥＮＡＢＬＥ＿Ｖ」を参照する。
【００６６】
まず、前述した図７と同様に、カメラ１において、購入後の初回の起動か否かの判断をする（Ｓ２１）。購入後の初回の起動のとき（Ｓ２１のＹｅｓ）に、バッテリー１７の電圧が「ＣＡＰ＿ＥＮＡＢＬＥ＿Ｖ」以下の電圧であるか否かを判断し（Ｓ２７）、以下であれば（Ｓ２７のＹｅｓ）、パワーオフする。
【００６７】
処理Ｓ２７において、「ＣＡＰ＿ＥＮＡＢＬＥ＿Ｖ」以上の電圧であれば（Ｓ２７のＮｏ）、日付設定画面を表示（Ｓ２８）し、ユーザーに日付入力の設定を行うように促す。日付時間を設定して確認操作の後、バッテリー１７の電圧が「ＣＡＰ＿ＥＮＡＢＬＥ＿１＿Ｖ」以下の電圧であるか否かを判断し（Ｓ２２）、以下であれば（Ｓ２２のＹｅｓ）、バッテリー１７の充電を促す警告画面の所定時間の表示をして（Ｓ２３）、パワーオフする。
【００６８】
また、前述の処理Ｓ２２においても、バッテリー１７の電圧が参照の電圧値以上の場合（Ｎｏ）は、図６の処理Ｓ１４の鏡胴ユニット６を繰り出して、処理Ｓ１５のモニタリングモードへ移る。
【００６９】
なお、図７、図８における処理Ｓ２３の警告画面の表示は、所定時間の表示後にパワーオフするが、この警告画面の表示をユーザーが確認した場合の確認操作（例えば、警告画面の「ＯＫ」を押す等の操作）後にパワーオフしても良い。
【００７０】
また、図８の処理Ｓ２７でバッテリー１７の電圧が「ＣＡＰ＿ＥＮＡＢＬＥ＿Ｖ」以下のとき（Ｙｅｓ）、パワーオフする処理となるが、処理Ｓ２３の警告画面を表示できれば良いが、表示できないバッテリー１７残量の可能性もある。このため、より電圧を必要としない警告方法として、電源スイッチ１３の近傍に発光手段（ＬＥＤ）や発音手段（スピーカー）等を配置し、これらの点滅や警告音により報知する。
【００７１】
この警告方法は、処理Ｓ２３の警告画面の表示に代えて行っても良く、あるいは共に行っても良い。
【００７２】
また、カメラ１において、撮影したいタイミングを逃さないためにも、電源投入から撮影可能な状態となるまでの時間は、できるだけ短い方が良い。このため、電源投入後の起動時間を短くした装置が望まれている。電源が投入された後、アプリケーションを起動するブート処理には、コールドブートとホットブートの２種類がある。
【００７３】
まず、コールドブートについて説明する。ユーザーがバッテリー１７をカメラ１に装着した後で、最初に電源スイッチを入れた場合（パワーオン）には、電源投入直後の誤動作を防ぐため、カメラ１に有するメモリ等のハードウェアを初期化する。その後、カメラ１に必要なアプリケーションを起動するコールドブートが行われる。
【００７４】
これに対し、既にバッテリー１７がカメラ１に装着されており、一度起動をした後には、ハードウェアの各設定が第２メモリ部２５等に格納されている。このため、ホットブートでは、前述のような初期化を行う必要がなく、直ちにカメラ１に必要なアプリケーションを起動することができる。このため、起動時間を短くすることが可能になっている。
【００７５】
図９は撮影モードでのコールドブートまたはホットブートの動作にて起動許可電圧を参照するフローチャートを示す図である。
【００７６】
まず、前述した電源回路部１８において、ユーザーによりカメラ１にバッテリー１７が装着されたか否かの判断をする（Ｓ３１）。コールドブートのとき（Ｓ３１のＹｅｓ）は、バッテリー１７の電圧が起動許可電圧「ＣＡＰ＿ＥＮＡＢＬＥ＿ＣＯＬＤ＿Ｖ」以下か判断する（Ｓ３２）。以下であれば（Ｓ３２のＹｅｓ）、バッテリー１７の充電を促す警告画面の所定時間の表示をして（Ｓ２３）、パワーオフする。
【００７７】
処理Ｓ３１において、ホットブートのとき（Ｓ３１のＮｏ）は、バッテリー１７の電圧が「ＣＡＰ＿ＥＮＡＢＬＥ＿ＨＯＴ＿Ｖ」以下か判断する（Ｓ３３）。以下であれば（Ｓ３３のＹｅｓ）、バッテリー１７の充電を促す警告画面の所定時間の表示をして（Ｓ２３）、パワーオフする。
【００７８】
また、処理Ｓ３２、処理Ｓ３３において、バッテリー１７の電圧が参照の電圧値以上の場合（Ｎｏ）は、図６に示す処理Ｓ１４の鏡胴ユニット６の繰り出し、処理Ｓ１５のモニタリングモードへ移る。
【００７９】
なお、参照する「ＣＡＰ＿ＥＮＡＢＬＥ＿ＣＯＬＤ＿Ｖ」の電圧値としては、図４の電圧図に示す「ＣＡＰ＿ＥＮＡＢＬＥ＿１＿Ｖ」とすることで、バッテリー１７の装着する際に、十分な充電をしてもらうようにする。特に、バッテリー１７は、フル充電してから使用する方が、途中充電を何度も繰り返すよりも早く劣化することを防ぎ、長く使用することができる。
【００８０】
また、参照する「ＣＡＰ＿ＥＮＡＢＬＥ＿ＨＯＴ＿Ｖ」の電圧値としては、図４の電圧図に示す「ＣＡＰ＿ＥＮＡＢＬＥ＿Ｖ」とすることで、早急に撮影したいユーザーの要求に応じ、所望する撮影の機会を逃すことなく撮影することが可能となる。
【産業上の利用可能性】
【００８１】
本発明によれば、装置購入時に同梱されたバッテリーの充電状態に関わらず、また装置操作に不慣れなユーザーに対しても安心して利用できるように、バッテリー電圧を起動時に確認して最適な装置起動をすること、さらに、その要否に応じたバッテリー充電を促す警告ができ、情報記録再生装置およびデジタルカメラに有用である。
【符号の説明】
【００８２】
１  デジタルカメラ
２  撮像レンズ部
３  ズームレンズ
３ａ  ズーム制御部
４  フォーカスレンズ
４ａ  フォーカス制御部
５  メカ機構
５ａ  絞り・シャッター制御部
６  鏡胴ユニット
６ａ  鏡胴ユニット収納／繰出制御部
７  受光素子
１１  レリーズボタン
１２  モードダイヤル
１３  電源スイッチ
１４  蓋部
１５  表示部
１６  ＳＤカード
１７  バッテリー
１８  電源回路部
１９  ズームボタン
１９ａ  ＷＩＤＥボタン
１９ｂ  ＴＥＬＥボタン
２０  十字ボタン
２０ａ  ＯＫボタン
２１  画像処理部
２２  メモリカード部
２３  システム制御部
２４  第１メモリ部
２５  第２メモリ部
２６  ＵＳＢ通信部
２７  時計部
【先行技術文献】
【特許文献】
【００８３】
【特許文献１】特開２００３−１１６０３１号公報
【図１】
2010193345.tif 000005
【図２】
2010193345.tif 000006
【図３】
2010193345.tif 000007
【図４】
2010193345.tif 000008
【図５】
2010193345.tif 000009
【図６】
2010193345.tif 000010
【図７】
2010193345.tif 000011
【図８】
2010193345.tif 000012
【図９】
2010193345.tif 000013